(57)【要約】      （修正有） 【課題】入浴中に意識を失った場合でも、浴槽内での溺水を防止することができる浴槽用溺水防止装置及びこれを備えた浴槽を提供する。【解決手段】浴槽内に着脱自在に設置される浴槽用溺水防止装置１０であって、浴槽内の領域を複数の領域に区画するとともに身体の前記浴槽内における自由な移動を阻止する区画手段１２と、前記区画手段１２を前記浴槽内に固定する固定手段１４と、を有することを特徴とする。【選択図】図２
0003183326.tif 000002
【実用新案登録請求の範囲】
【請求項１】
浴槽内に着脱自在に設置される浴槽用溺水防止装置であって、
浴槽内の領域を複数の領域に区画するとともに、身体の前記浴槽内における自由な移動を阻止する区画手段と、
前記区画手段を前記浴槽内に固定する固定手段と、
を有することを特徴とする浴槽用溺水防止装置。
【請求項２】
前記区画手段は、液体が貫通可能な網状部を有していることを特徴とする請求項１に記載の浴槽用溺水防止装置。
【請求項３】
前記区画手段は、頭部を支持する支持手段を備えていることを特徴とする請求項１又は２に記載の浴槽用溺水防止装置。
【請求項４】
請求項１乃至３のいずれか１項に記載の浴槽用溺水防止装置を備えたことを特徴とする浴槽。
【考案の詳細な説明】
【技術分野】
【０００１】
本考案は、例えば、浴槽用溺水防止装置及びこれを備えた浴槽に関する。
【背景技術】
【０００２】
従来から浴室内で事故が発生している。事故の原因の一つとして、例えば、ヒートショック現象により、入浴中に気を失い、そのまま体勢が崩れて、頭部（特に口及び鼻）が湯の中に没し、溺死に至る過程が考えられている。
【０００３】
しかし、従来の浴槽では、構造上、かかる予防対策が設けられていなかった。ヒートショック現象を原因とすることに限らず、浴槽内での溺水・溺死を防止するために早急な対策が望まれる。
【先行技術文献】
【特許文献】
【０００４】
【特許文献１】特開平８−８０２６７号公報
【特許文献２】特許第３１５０３１１号公報
【考案の概要】
【考案が解決しようとする課題】
【０００５】
そこで、本考案は、上記問題を解決するためのものであり、入浴中に意識を失った場合でも、浴槽内での溺水を防止することができる浴槽用溺水防止装置及びこれを備えた浴槽を提供することを目的とする。
【課題を解決するための手段】
【０００６】
本考案は、浴槽内に着脱自在に設置される浴槽用溺水防止装置であって、浴槽内の領域を複数の領域に区画するとともに、身体の前記浴槽内における自由な移動を阻止する区画手段と、前記区画手段を前記浴槽内に固定する固定手段と、を有する。
【０００７】
前記区画手段は、液体が貫通可能な網状部を有していることが好ましい。
【０００８】
前記区画手段は、頭部を支持する支持手段を備えていることが好ましい。
【０００９】
また、本発明は、上記浴槽用溺水防止装置を備えた浴槽である。
【考案の効果】
【００１０】
本考案によれば、固定手段により区画手段が浴槽内に固定される。そして、浴槽内の領域が区画手段によって複数の領域に区画されて、身体の浴槽内における自由な移動が阻止される。これにより、浴槽内での入浴スペースが狭くなり、たとえ意識を失った場合でも、身体が浴槽内を移動することを防止できる。この結果、頭部（特に口と鼻）が水中に没せず、溺水を阻止することができる。
【００１１】
また、区画手段が固定手段により浴槽内に固定されるため、区画手段が水や身体からの圧力を受けて浴槽内で移動（相対移動）することがない。このため、区画手段の浴槽内における位置を固定することができ、身体を確実に支持することができる。
【００１２】
また、区画手段は液体が貫通可能な網状部を有していることにより、浴槽内に設置した場合でも、体積が大幅に増加せず、浴槽内の水（湯）が浴槽から溢れ出ることを防止できる。また、水からの圧力を最小限に抑えることができ、浴槽用溺水防止装置の設置作業が容易になる。
【００１３】
また、区画手段は頭部を支持する支持手段を備えていることにより、入浴者が前屈みになるようにして倒れた場合でも、頭部が水没することを防止できる。
【図面の簡単な説明】
【００１４】
【図１】本考案の第１実施形態の浴槽用溺水防止装置の側面方向から見た構成図である。
【図２】本考案の第１実施形態の浴槽用溺水防止装置を浴槽内に設置した状態を前方斜め方向から見た斜視図である。
【図３】本考案の第１実施形態の浴槽用溺水防止装置を浴槽内に設置した状態を平面方向から見た平面図である。
【図４】本考案の第１実施形態の浴槽用溺水防止装置を浴槽内に設置した状態を後方斜め方向から見た斜視図である。
【図５】本考案の第１実施形態の浴槽用溺水防止装置と浴槽との固定構造の一例を示した構成図である。
【図６】本考案の第２実施形態の浴槽用溺水防止装置の側面方向から見た構成図である。
【考案を実施するための形態】
【００１５】
本考案の第１実施形態に係る浴槽用溺水防止装置及びこれを備えた浴槽について、図面を参照して説明する。
【００１６】
図１乃至図５に示すように、浴槽用溺水防止装置１０は、主として、浴槽内の領域を複数の領域に区画するとともに身体の浴槽内における自由な移動を阻止する区画手段１２と、区画手段１２を浴槽内に固定する固定手段１４と、を有している。
【００１７】
区画手段１２は、一例として、浴槽内の長手方向に対して略直交する方向（垂直方向）に浴槽内の領域を区画する第１区画部１６と、第１区画部１６の姿勢を安定化させる第２区画部１８と、を備えている。
【００１８】
なお、本実施形態では、第１区画部１６と第２区画部１８とが別体で構成されているが、一体もので構成されている態様でもよい。また、区画手段１２が第１区画部１６のみで構成されている態様でもよい。
【００１９】
第１区画部１６は、例えば、金属、プラスチック、ＦＲＰなどで構成され、網目状に形成されている。これにより、浴槽内の水（湯）は、第１区画部１６を貫通し、区分けされた領域間を流動可能になる。この結果、第１区画部１６は、水の流動性を干渉することなく、かつ水から受ける圧力を軽減させることができる。
【００２０】
第１区画部１６の上部には、第２区画部１８の上端部から大きく突出した突出部１６Ａが形成されている。突出部１６Ａは、浴槽１内の水面よりも上方に位置している。この突出部１６Ａが形成されていることにより、入浴者が意識を失ったときに頭部が突出部１６Ａによって支持され、頭部（口と鼻）が水没することを防止している。
【００２１】
第１区画部１６の下部には、入浴者の足が貫通して進入することを防止するための進入阻止部１６Ｂが形成されている。この進入阻止部１６Ｂが形成されていることにより、入浴者の姿勢が崩れた場合でも、足を支持することができる。この結果、入浴者の姿勢がそれ以上崩れることがなく、入浴者の頭部（口と鼻）が水没することを防止できる。
【００２２】
また、第１区画部１６の下部には、浴槽１の底面に接触して第１区画部１６の姿勢を安定させるための安定支持部を形成してもよい。なお、本実施形態では、安定支持部は、第２区画部１８側に形成されている。
【００２３】
なお、第１区画部１６の角部（浴槽内部と接触可能な部位）には、ゴムやプラスチック等の緩衝部材を適宜設け、浴槽内部に傷がつかないように設計してもよい。
【００２４】
第２区画部１８は、例えば、金属、プラスチック、ＦＲＰなどで構成され、網目状に形成されている。これにより、浴槽内の水（湯）は、第２区画部１８を貫通して流動可能になる。この結果、第２区画部１８は、水の流動性を干渉せず、かつ水から受ける圧力を軽減させることができる。
【００２５】
第２区画部１８は、第１区画部１６に対して直交する方向（水平方向）に延びる水平区画部１８Ａと、第１区画部１６と平行する方向（垂直方向）に延びる垂直区画部１８Ｂと、を有している。水平区画部１８Ａと垂直区画部１８Ｂは、例えば、一体形成されている。
【００２６】
水平区画部１８Ａの角部（浴槽内部と接触する部位）には、ゴムやプラスチック等の緩衝部材２０が適宜設けられており、浴槽内部に傷がつかないように設計されている。
【００２７】
水平区画部１８Ａは、第１区画部１６を水平方向に位置決めする機能を有している。
【００２８】
垂直区画部１８Ｂの角部（浴槽内部と接触する部位）には、ゴムやプラスチック等の緩衝部材２０が適宜設けられており、浴槽内部に傷がつかないように設計されている。
【００２９】
垂直区画部１８Ｂは、第１区画部１６を垂直方向に位置決めする機能を有している。
【００３０】
固定手段１４は、区画手段１２を浴槽内部に固定するものである。固定手段１４は、例えば、浴槽内部の吹き出し口２を利用して、区画手段１２を浴槽内部に固定することができる。この態様では、固定手段１４は、吹き出し口２に引っ掛ける引掛部１４Ａと、引掛部１４Ａを第２区画部１８に固定する係合部１４Ｂと、を有している。
【００３１】
なお、固定手段１４は、浴槽内部の吹き出し口２を利用して固定するものに限定されない。例えば、浴槽内部に溝を形成して、溝内に各区画部を収納して固定してもよい。この態様では、固定手段１４は、浴槽内部に形成された溝に該当する。
【００３２】
また、第１区画部１６又は／及び第２区画部１８を複数の構成部材に分割し、各構成部材同士を接続する構成を採用こすることにより、第１区画部全体又は／及び第２区画部全体の大きさを調整することができる。例えば、パイプ等によって各構成部材同士を接続し、所定の位置でネジ等によってネジ止めすることにより、各構成部材間の相対距離を自在に調整することができる。これにより、第１区画部１６又は／及び第２区画部１８の垂直方向及び水平方向への伸縮が可能になり、身体との位置関係に関し、第１区画部１６又は／及び第２区画部１８を最適な位置に調整することができる。
【００３３】
第１実施形態によれば、固定手段１４により区画手段１２が浴槽内に固定される。そして、浴槽内の領域が区画手段１２によって複数の領域に区画されて、身体の浴槽内における自由な移動が阻止される。これにより、浴槽内での入浴スペースが狭くなり、たとえ意識を失った場合でも、身体が浴槽内を自由に移動することを防止できる。この結果、頭部（特に口と鼻）が水中に没せず、溺水を阻止することができる。
【００３４】
また、区画手段１２が固定手段１４により浴槽内に固定されるため、区画手段１２が水や身体からの圧力を受けて浴槽内で移動（相対移動）することがない。このため、区画手段１２の浴槽内における位置を固定することができ、身体を確実に支持することができる。
【００３５】
また、区画手段１２は液体が貫通可能な網状部を有していることにより、浴槽内に設置した場合でも、体積が大幅に増加せず、浴槽内の水（湯）が浴槽から溢れ出ることを防止できる。また、水からの圧力を最小限に抑えることができ、先に浴槽内に水を注入していた状態でも、浴槽用溺水防止装置１０の設置作業が容易になる。
【００３６】
次に、本考案の第２実施形態に係る浴槽用溺水防止装置及びこれを備えた浴槽について、図面を参照して説明する。なお、本考案の第１実施形態に係る浴槽用溺水防止装置及びこれを備えた浴槽との一致点の説明は省略し、相違点のみ説明する。
【００３７】
図６に示すように、第２実施形態では、区画手段１２に、頭部を支持するための支持手段２２を備えている。詳細には、区画手段１２は、第１区画部１６に設けられた垂直方向に延びる固定支持部２２Ａと、水平方向に延びて構成され頭部を支持する頭部支持部２２Ｂと、を有している。
【００３８】
固定支持部２２Ａは、例えば、中空のパイプで構成されている。頭部支持部２２Ｂは、パイプに挿入するための棒状の挿入部を有している。そして、頭部支持部２２Ｂの挿入部がパイプに挿入されて、両者が結合される。
【００３９】
頭部支持部２２Ｂは、平板状に形成されていてもよく、あるいは網目状（ネット状）に形成されていてもよい。さらには、頭部支持部２２Ｂの表面に、頭部を支持するためのクッション部材を備えていてもよい。
【００４０】
なお、挿入部をパイプの様々な位置で位置決めできる構成を採用してもよい。例えば、パイプの長手方向に複数のネジ孔を形成しておき、挿入部の挿入具合を適宜調整して、最適なネジ孔からネジを螺合して挿入部をネジ止めする。これにより、頭部支持部２２Ｂの高さを自在に調整することができる。また、頭部支持部２２Ｂの水平方向の長さを調整する構成を設けてもよい。
【００４１】
第２実施形態によれば、区画手段１２は頭部を支持する支持手段２２を備えていることにより、入浴者が前屈みになるようにして倒れた場合でも、頭部が水没することを防止できる。これにより、入浴者の意識がなくなった場合でも、入浴者の頭部（口と鼻を含む）が水没することを防止でき、溺水を防ぐことができる。
【符号の説明】
【００４２】
１        浴槽
１０      浴槽用溺水防止装置
１２      区画手段
１４      固定手段
１６      第１区画部
１８      第２区画部
２０      緩衝部材
２２      支持手段
【図１】
0003183326.tif 000003
【図２】
0003183326.tif 000004
【図３】
0003183326.tif 000005
【図４】
0003183326.tif 000006
【図５】
0003183326.tif 000007
【図６】
0003183326.tif 000008